(57)【要約】【課題】  ハンガーが背凭れに堅固に取り付けられ、長年の使用によっても傾いたりして位置安定性が不良とならないようにする。【解決手段】  椅子における背凭れの後方にハンガーを設けたハンガー付き椅子において、インナーシェル７とアウターシェル８とから構成される背凭れにおけるインナーシェル７の後面に、後方が開口する凹部１９を設け、この凹部１９の奥面２０に雌ねじ部２１を設けるとともに、上端にハンガー本体２２が取り付けられた支持杆２３と、この支持杆２３を支持する支持部材２４とよりなるハンガーにおける前記支持部材２４に、前記凹部１９に嵌合する突出部３０を設け、この突出部３０に設けた通孔３１ｂにボルト３８を挿通させて、前記雌ねじ部２１と螺合させることにより、ハンガーを背凭れの後面に取り付けるようにする。【選択図】        図６
2005245865.tif 000002
【特許請求の範囲】
【請求項１】
椅子における背凭れの後方にハンガーを設けたハンガー付き椅子において、背凭れの後面に後方が開口する凹部を設け、この凹部の奥面に雌ねじ部を設けるとともに、上端にハンガー本体が取り付けられた支持杆と、この支持杆を支持する支持部材とよりなるハンガーにおける前記支持部材に、前記凹部に嵌合する突出部を設け、この突出部に設けた通孔にボルトを挿通させて、前記雌ねじ部と螺合させることにより、ハンガーを背凭れの後面に取り付けるようにしたことを特徴とするハンガー付き椅子。
【請求項２】
前記凹部、およびこれに嵌合する突出部を、それぞれ複数個設けたことを特徴とする請求項１記載のハンガー付き椅子。
【請求項３】
前記支持杆を、前記支持部材に、上下方向に摺動可能に取り付けて、ハンガー本体の上下方向の位置を調節しうるようにしたことを特徴とする請求項１または２記載のハンガー付き椅子。
【請求項４】
前記支持部材を、前記突出部を備える突出部品と、前記支持杆を挿通させる上下方向の貫通孔を備える支持部品の少なくとも２つの部品から構成したことを特徴とする請求項１〜３のいずれかに記載のハンガー付き椅子。
【請求項５】
前記支持杆を、板ばねの弾性力によって側方から押圧し、支持杆を上下方向に摺動可能とするとともに、ハンガー本体を、所望の上下方向の位置で固定可能としたことを特徴とする請求項１〜４のいずれかに記載のハンガー付き椅子。
【請求項６】
前記支持杆を挿通させる上下方向の貫通孔を備える支持部品を、前方が開口する箱状体となすとともに、この箱状体内に、前記突出部を備える突出部品、および板ばねを収容したことを特徴とする請求項４または５記載のハンガー付き椅子。
【請求項７】
前記箱状体の支持部品の後面に、ボルトを螺合する際の作業用開口を設けるとともに、作業終了後に前記作業用開口を被覆するカバー部材を設けたことを特徴とする請求項６記載のハンガー付き椅子。
【請求項８】
前記カバー部材を、ネームプレートの機能をも兼ねたものとしたことを特徴とする請求項７記載のハンガー付き椅子。
【請求項９】
背凭れを、インナーシェルとアウターシェルから構成し、支持部材における突出部を嵌合させる前記凹部を、インナーシェルの後面に設けるとともに、アウターシェルに前記突出部を挿通させる貫通口を設けたことを特徴とする請求項１〜８のいずれかに記載のハンガー付き椅子。
【発明の詳細な説明】
【技術分野】
【０００１】
本発明は、椅子における背凭れの後方に、ハンガーを設けたハンガー付き椅子に関する。
【背景技術】
【０００２】
ハンガー付き椅子としては、背凭れの後方に、支持部材をねじで取り付け、この支持部材を介して、上端にハンガー本体を備える１本の支持杆を上下動可能に設けたものが公知である（たとえば、特許文献１，２）。
【０００３】
その他、倒立Ｕ字状の取付部を背凭れの上端に上方から嵌合し、この取付部の後面に設けた１個の突起に、折りたたみ式のハンガーを取り付けたものも公知である（例えば、特許文献３）。
【０００４】
しかし、前者は、上端にハンガー本体を備える支持杆を支持する支持部材が、背凭れに単にねじで取り付けられているため、このねじが緩むとハンガー本体が、がたついて位置安定性が不良となる虞がある。
【０００５】
また、後者は、取付部が背凭れの上端に単に嵌合されているばかりでなく、この取付部の後面に設けた１個の突起に、折りたたみ式のハンガーが取り付けられているため、取付部が背凭れから外れたり、あるいはハンガーが前記突起のまわりに回動して傾く虞がある。
【特許文献１】実開平６−４５５５３号公報（図１，２参照）
【特許文献２】実開平５−７１７９号公報（図１参照）
【特許文献３】特開平９−２０６１６９号公報（図１，２参照）
【発明の開示】
【発明が解決しようとする課題】
【０００６】
本発明は、前記の現状に鑑み、ハンガーが背凭れに堅固に取り付けられ、長年の使用によっても傾いたりして位置安定性が不良となることのないハンガー付き椅子を提供とすることを目的とする。
【０００７】
また、背凭れがインナーシェルとアウターシェルから構成される場合においても、ハンガーを堅固に取り付けることができるようにしたハンガー付き椅子を提供することを併せ目的とする。
【課題を解決するための手段】
【０００８】
本発明によると、上記課題は、次のようにして解決される。
(１)  椅子における背凭れの後方にハンガーを設けたハンガー付き椅子において、背凭れの後面に後方が開口する凹部を設け、この凹部の奥面に雌ねじ部を設けるとともに、上端にハンガー本体が取り付けられた支持杆と、この支持杆を支持する支持部材とよりなるハンガーにおける前記支持部材に、前記凹部に嵌合する突出部を設け、この突出部に設けた通孔にボルトを挿通させて、前記雌ねじ部と螺合させることにより、ハンガーを背凭れの後面に取り付けるようにする。
【０００９】
(２)  上記(１)項において、前記凹部、およびこれに嵌合する突出部を、それぞれ複数個設ける。
【００１０】
(３)  上記(１)項または(２)項において、前記支持杆を、前記支持部材に、上下方向に摺動可能に取り付けて、ハンガー本体の上下方向の位置を調節しうるようにする。
【００１１】
(４)  上記(１)項〜(３)項のいずれかにおいて、前記支持部材を、前記突出部を備える突出部品と、前記支持杆を挿通させる上下方向の貫通孔を備える支持部品の少なくとも２つの部品から構成する。
【００１２】
(５)  上記(１)項〜(４)項のいずれかにおいて、前記支持杆を、板ばねの弾性力によって側方から押圧し、支持杆を上下方向に摺動可能とするとともに、ハンガー本体を、所望の上下方向の位置で固定可能とする。
【００１３】
(６)  上記(４)項または(５)項において、前記支持杆を挿通させる上下方向の貫通孔を備える支持部品を、前方が開口する箱状体となすとともに、この箱状体内に、前記突出部を備える突出部品、および板ばねを収容する。
【００１４】
(７)  上記(６)項において、前記箱状体の支持部品の後面に、ボルトを螺合する際の作業用開口を設けるとともに、作業終了後に前記作業用開口を被覆するカバー部材を設ける。
【００１５】
(８)  上記(７)項において、前記カバー部材を、ネームプレートの機能をも兼ねたものとする。
【００１６】
(９)  上記(１)項〜(８)項において、背凭れを、インナーシェルとアウターシェルから構成し、支持部材における突出部を嵌合させる前記凹部を、インナーシェルの後面に設けるとともに、アウターシェルに前記突出部を挿通させる貫通口を設ける。
【発明の効果】
【００１７】
本発明によると、次のような効果が奏せられる。
ａ)  上記(１)項記載の発明によると、上端にハンガー本体が取り付けられた支持杆を支持する支持部材における突出部が、背凭れの後面に設けられた凹部に嵌合されているため、ハンガーが背凭れに堅固に取り付けられ、長年の使用によっても傾いたりして位置安定性が不良となることがない。
【００１８】
ｂ)  上記(２)項記載の発明によると、上記(１)項記載の効果が一層効果的に奏せられる。
【００１９】
ｃ)  上記(３)項記載の発明によると、ハンガー本体の上下方向の位置が調節できるため、使用時においては、ハンガーに掛ける衣服の長さに応じてハンガーの高さを調節することができるとともに、不使用時においては、ハンガーの高さを低くして、邪魔にならないようにすることができる。
【００２０】
ｄ)  上記(４)項記載の発明によると、支持部材を、低コストで製作することができる。
【００２１】
ｅ)  上記(５)項記載の発明によると、ハンガーの上下方向の位置調節が容易であるとともに、所望の高さ位置でハンガーを固定することができる。
【００２２】
ｆ)  上記(６)項記載の発明によると、支持部材を構成する複数の部品を、箱状体の支持部品内に収容することができるため、各部品の納まりが良く、これら各部品が外方から見えないため、見栄えが良好である。
【００２３】
ｇ)  上記(７)項記載の発明によると、ボルトを螺合する際の作業性が良好であるとともに、作業用開口がカバー部材で被覆されるため、見栄えも良い。
【００２４】
ｈ)  上記(８)項記載の発明によると、カバー部材が、ネームプレートを兼ねるため便利である。
【００２５】
ｉ)  上記(９)項記載の発明によると、ハンガーが、アウターシェルよりも大幅に大きい強度を有するインナーシェルに直接取り付けられるため、ハンガーが堅固に取り付けられ、長年の使用によっても傾いたりして位置安定性が不良となることがない。  
【発明を実施するための最良の形態】
【００２６】
以下、本発明の実施形態を、図面に基づいて説明する。
【実施例】
【００２７】
図１は、本発明の一実施形態のハンガー付き椅子の側面図、図２は、図１に示すハンガー付き椅子における要部の分解斜視図である。
【００２８】
本発明のハンガー付き椅子(１)は、背凭れ(２)の後方に、上下動可能なハンガー(３)が設けられている。背凭れ(２)は、脚柱(４)の上端に固定された支基(５)に回動可能に取り付けられた前向きＬ字状の背フレーム(６)に、取り付けられている。
【００２９】
図２に示すように、背凭れ(２)は、インナーシェル(７)とアウターシェル(８)とより構成されている。なお、図２において、インナーシェル(７)は、前後面を反転して示してある。
【００３０】
インナーシェル(７)は、その後面(９)に後向きに立設されたボス部(10)の雌ねじ部(10a)に、背フレーム(６)における上下の横連結板(11)(12)に設けられた通孔(11a)(12a)を挿通させた止めねじ(13)を螺合させて、背フレーム(６)における縦フレーム(14)の前面に取り付けられている。
【００３１】
インナーシェル(７)の後面(９)における左右には、後方に突出する上下方向の段部(15)が設けられ、この段部(15)に、係止片(16a)を有する凹部(16)が設けられている。
【００３２】
一方、アウターシェル(８)の前面(17)には、前記凹部(16)に対応する位置に係止突起(18)が設けられている。
【００３３】
アウターシェル(８)は、背フレーム(６)の後方から、アウターシェル(８)における前記係止突起(18)を、インナーシェル(７)における前記凹部(16)に嵌合し、かつ同時に係止片(16a)に係合させることにより、インナーシェル(７)に取り付けられている。
【００３４】
図３は、インナーシェル(７)の拡大背面図、図４は、図３における一点鎖線円Ａ内の要部拡大斜視図、図５は、ハンガー(３)の拡大分解斜視図、図６は、ハンガー(３)を背凭れ(２)に取り付けた状態における、図３に示すVI〜VI線相当部分で断面したときの拡大断面図である。
【００３５】
図３，図４に示すように、インナーシェル(７)の後面(９)における上部中央には、左右に２個の背面視ほぼ四辺形状の後方が開口する凹部(19)(19)が設けられ、この凹部(19)の奥面(20)には、雌ねじ部(21)が設けられている。
【００３６】
一方、ハンガー(３)は、図５に示すように、上端にハンガー本体(22)が取り付けられた支持杆(23)と、この支持杆(23)を上下方向に摺動可能に支持する支持部材(24)とより構成されている。ハンガー本体(22)は、背広等が掛けられる程度の長さに左右方向に延び、背面視がやや下向きに凸状に湾曲した形状を有し、下面中央部における左右に下向きの筒状取付部(25)(25)が設けられている。この筒状取付部(25)の後面には、ねじ孔(26)が設けられており、支持部材(24)における後記する箱状体の支持部品(27)に設けられた上下方向の貫通孔(28)(28)に下方から挿通させたＵ字状の支持杆(23)の上端を、前記筒状取付部(23)内に嵌入した後に、止めねじ(29)を前記ねじ孔(26)に螺合して締め付けることにより、ハンガー本体(22)が、支持杆(23)の上端に取り付けられている。
【００３７】
支持部材(24)は、前方が開口する箱状体の前記支持部品(27)と、前向き突出部(30)を有する突出部品(31)と、板ばね(32)と、取付金具Ａ(33)、Ｂ(34)、Ｃ(35)、カバー部材(36)、およびボルト(37)(38)、ワッシャー(37a)(38a)とより構成されている。
【００３８】
突出部品(31)は、側面視において、後向きコ字状をなし、前半部中央が切欠かれて、左右１対の前向き突出部(30)(30)が形成され、これら前向き突出部(30)(30)の前面板(31a)(31a)には、通口(31b)(31b)が設けられている。
【００３９】
取付金具Ａ(33)は、左右方向に長い四辺形状板の左右両端に、前向きに開口する上下方向の１対の半筒状部(33a)(33a)が設けられるとともに、中央にねじ孔(33b)と、その左右に１対の通口(33c)(33c)が、それぞれ設けられて形成されている。
【００４０】
この取付金具Ａ(33)における左右１対の半筒状部(33a)(33a)には、前向きに開口する上下方向の半筒状の取付金具Ｂ(34)(34)が嵌合される。
【００４１】
板ばね(32)は、同じく左右方向に長い四辺形状板の左右両端に、折り曲げ部を介して、段違いに前方に位置させた押え部(32a)(32a)が設けられるとともに、中央に小径の通孔(32b)と、その左右にやや大きい径の１対の通口(32c)(32c)が、それぞれ設けられて形成されている。
【００４２】
取付金具Ｃ(35)は、同じく左右方向に長い四辺形状板の中央に小径の通孔(35a)と、その左右にやや大きい径の１対の通口(35b)(35b)が、それぞれ設けられて形成されている。
【００４３】
図５，図６に示すように、これらの取付金具Ａ(33)、Ｂ(34)、板ばね(32)、取付金具Ｃ(35)は、後方からこの順に配位されて、ボルト(37)を、前方からワッシャー(37a)、取付金具Ｃ(35)の通孔(35a)、板ばね(32)の通孔(32b)に順次、挿通させて、取付金具Ａ(33)のねじ孔(33b)に螺合させることにより、一体化されている。これら一体化された取付金具Ａ(33)、Ｂ(34)、板ばね(32)、取付金具Ｃ(35)を、側面視において後向きコ字状の突出部品(31)内に、後方から嵌入し、これらを前方が開口する箱状体の支持部品(27)内に、突出部品(31)における突出部(30)(30)が前方に突出する状態で、前方から嵌入させてある。
【００４４】
半筒状の取付金具Ｂ(34)(34)と、板ばね(32)における左右端の押え部(32a)(32a)との間に形成される上下方向の空間路(39)(39)（図６参照）を、箱状体の支持部品(27)における貫通路(28)と位置を整合させてある。
【００４５】
なお、前記突出部品(31)における上下の後端部の左右端には、前記空間路(39)(39)を閉塞しないように切欠部(31c)(31c)が設けられている。
【００４６】
箱状体の支持部品(27)の後面(27a)には、カバー部材(36)が嵌まり込む凹部(40)が設けられており、この凹部(40)内の左右には、径が大き目の作業用通口(41)(41)が設けられている。
【００４７】
支持部材(24)を背凭れ(２)に取り付けるには、次の手順による。
一体化させた、箱状体の支持部品(27)、取付金具Ａ(33)、Ｂ(34)、板ばね(32)、取付金具Ｃ(35)、突出部品(31)における左右１対の突出部(30)(30)を、アウターシェル(８)における貫通口(42)に挿通させた後に、インナーシェル(７)における左右１対の凹部(19)(19)に嵌合させる。
【００４８】
次いで、１対のボルト(38)(38)を、ワッシャー(38a)、支持部品(27)における作業用通口(41)、取付金具Ａ(33)、板ばね(32)、取付金具Ｃ(35)、突出部品(31)における、それぞれの通口(33c)、(32c)、(35b)、(31b)を挿通させた後に、インナーシェル(７)における左右１対の凹部(19)(19)の雌ねじ部(21)(21)に螺合させて締め付ける。
【００４９】
次いで、カバー部材(36)を、支持部品(27)における後面(27a)の凹部(40)内に嵌め込み、カバー部材(36)の左右両端に設けられている係止爪(36a)(36a)を、支持部品(27)における作業用通口(41)の周縁部前面に係止させる。
なお、カバー部材(36)は、ネームプレートの機能を兼ねそなえている。
このようにして、支持部材(24)を、背凭れ(２)の後面に堅固に取り付けることができる。
【００５０】
次いで、支持杆(23)の上端を、支持部材(24)における貫通孔(28)および空間路(39)に、下方から挿通させて、前記した方法により、支持杆(23)の上端に、ハンガー本体(22)を取り付ければよい。
【００５１】
支持杆(23)は、板ばね(32)の弾性力によって、側方から押圧され、上下方向に摺動可能であるとともに、ハンガー本体(22)を、所望の上下方向の位置で固定することができる。
【図面の簡単な説明】
【００５２】
【図１】本発明の一実施形態のハンガー付き椅子の側面図である。
【図２】図１に示すハンガー付き椅子における要部の分解斜視図である。
【図３】インナーシェルの拡大背面図である。
【図４】図３における一点鎖線円Ａ内の要部拡大斜視図である。
【図５】ハンガーの拡大分解斜視図である。
【図６】ハンガーを背凭れに取り付けた状態における、図３に示すVI〜VI線相当部分で断面したときの拡大断面図である。
【符号の説明】
【００５３】
(１)ハンガー付き椅子
(２)背凭れ
(３)ハンガー
(４)脚柱
(５)支基
(６)背フレーム
(７)インナーシェル
(８)アウターシェル
(９)後面
(10)ボス部
(10a)雌ねじ部
(11)(12)横連結板
(11a)(12a)通孔
(13)止めねじ
(14)縦フレーム
(15)段部
(16)凹部
(16a)係止片
(17)前面
(18)係止突起
(19)凹部
(20)奥面
(21)雌ねじ部
(22)ハンガー本体
(23)支持杆
(24)支持部材
(25)筒状取付部
(26)ねじ孔
(27)支持部品
(27a)後面
(28)貫通孔
(29)止めねじ
(30)突出部
(31)突出部品
(31a)前面板
(31b)通口
(31c)切欠部
(32)板ばね
(32a)押え部
(32b)通孔
(32c)通口
(33)取付金具Ａ
(33a)半筒状部
(33b)ねじ孔
(33c)通口
(34)取付金具Ｂ
(35)取付金具Ｃ
(35a)通孔
(35b)通口
(36)カバー部材
(36a)係止爪
(37)(38)ボルト
(37a)(38a)ワッシャー
(39)空間路
(40)凹部
(41)作業用通口
(42)貫通口
【図１】
2005245865.tif 000003
【図２】
2005245865.tif 000004
【図３】
2005245865.tif 000005
【図４】
2005245865.tif 000006
【図５】
2005245865.tif 000007
【図６】
2005245865.tif 000008